(57)【特許請求の範囲】
【請求項１】
呼出音を子機と親機両方で鳴動するコードレス電話機において、
電話番号を登録する電話番号登録手段と、発信者電話番号と、登録してある前記電話番号と、を比較して一致するかどうかを判定する電話番号比較判定手段と、前記電話番号比較判定手段で比較して一致した場合は、通常呼出音とは呼出音の音色を変えた専用呼出音を設定する専用呼出音設定手段と、前記専用呼出音を設定した場合に応答信号を送信する応答信号送信手段と、鳴動指示信号を受信して前記専用呼出音を鳴動する子機側専用呼出音鳴動手段と、から構成される子機と、
前記発信者電話番号を前記電話番号比較判定手段に送信する発信者電話番号送信手段と、前記応答信号を受信して前記鳴動指示信号を前記子機側専用呼出音鳴動手段に送信する鳴動指示信号送信手段と、前記応答信号を受信して前記子機と同一の前記専用呼出音を鳴動する親機側専用呼出音鳴動手段と、から構成される親機と、
を有することを特徴とするコードレス電話機。
【請求項２】
前記電話番号登録手段は、ユーザの操作により任意の前記電話番号を登録することを特徴とする請求項１記載のコードレス電話機。
【請求項３】
前記電話番号比較判定手段は、前記発信者電話番号と前記電話番号とを比較判定する場合は、最下位桁から比較することを特徴とする請求項１記載のコードレス電話機。
【請求項４】
前記電話番号比較判定手段は、前記発信者電話番号の桁数が前記電話番号の桁数よりも多く、かつ前記電話番号の桁数分が比較判定で一致した場合は、前記発信者電話番号と前記電話番号とは一致したと判定することを特徴とする請求項３記載のコードレス電話機。
【請求項５】
前記子機は、前記発信者電話番号を表示する発信者電話番号表示手段を含むことを特徴とする請求項１記載のコードレス電話機。
【請求項６】
前記発信者電話番号表示手段は、市外局番を除いた前記発信者電話番号を表示することを特徴とする請求項５記載のコードレス電話機。
【発明の詳細な説明】
【０００１】
【発明の属する技術分野】
本発明はコードレス電話機に関し、特に呼出音を子機と親機両方で鳴動するコードレス電話機に関する。
【０００２】
【従来の技術】
ネットワーク技術の進歩に伴って情報通信ニーズも増加してきており、これに対応してサービスも多様化してきている。例えば、一般加入者電話などの通信機器で実用化されている通信サービスでは、発信者の電話番号を表示するサービスや、特定の発信者からの呼出音の音色を変えるサービスなどがある。
【０００３】
例えば、子機に表示器と発信者電話番号の記憶エリアを持つコードレス電話機では、発信者電話番号を登録し、今後同一の発信者からの着信があった場合には、その発信者電話番号を表示し、かつ呼出音の音色を変更した専用呼出音を発している。これによって、電話を受ける場合に、受信者は発信者電話番号及び発信者を即座に認識できる。
【０００４】
【発明が解決しようとする課題】
しかし、上記のようなコードレス電話機では、親機が呼出音を鳴らす構成の場合、せっかく子機で専用呼出音を発しても親機では通常の呼出音で鳴っているといった問題があった。
【０００５】
特に親機上に子機を乗せて充電するタイプのコードレス電話機では、一般に親機にダイヤルキーとスピーカホンの機能が付加されて親機単体でも通話可能である。このようなコードレス電話機では、親機と子機とを同一の部屋で使用する場合は、同一の発信者からの呼出音が、親機と子機から２通りの音色で鳴動するので、ユーザにとって操作性の高いものとはいえなかった。
【０００６】
本発明はこのような点に鑑みてなされたものであり、親機と子機から同一の専用呼出音を発するコードレス電話機を提供することを目的とする。
【０００７】
【課題を解決するための手段】
上記課題を解決するために、呼出音を子機と親機両方で鳴動するコードレス電話機において、電話番号を登録する電話番号登録手段と、発信者電話番号と、登録してある前記電話番号と、を比較して一致するかどうかを判定する電話番号比較判定手段と、前記電話番号比較判定手段で比較して一致した場合は、通常呼出音とは呼出音の音色を変えた専用呼出音を設定する専用呼出音設定手段と、前記専用呼出音を設定した場合に応答信号を送信する応答信号送信手段と、鳴動指示信号を受信して前記専用呼出音を鳴動する子機側専用呼出音鳴動手段と、から構成される子機と、前記発信者電話番号を前記電話番号比較判定手段に送信する発信者電話番号送信手段と、前記応答信号を受信して前記鳴動指示信号を前記子機側専用呼出音鳴動手段に送信する鳴動指示信号送信手段と、前記応答信号を受信して前記子機と同一の前記専用呼出音を鳴動する親機側専用呼出音鳴動手段と、から構成される親機と、を有することを特徴とするコードレス電話機が提供される。
【０００８】
ここで、電話番号登録手段は電話番号を登録する。電話番号比較判定手段は発信者電話番号と、登録してある電話番号と、を比較して一致するかどうかを判定する。専用呼出音設定手段は、電話番号比較判定手段で比較して一致した場合は、通常呼出音とは呼出音の音色を変えた専用呼出音を設定する。応答信号送信手段は、専用呼出音を設定した場合に応答信号を送信する。子機側専用呼出音鳴動手段は、鳴動指示信号を受信して専用呼出音を鳴動する。発信者電話番号送信手段は、発信者電話番号を電話番号比較判定手段に送信する。鳴動指示信号送信手段は、応答信号を受信して鳴動指示信号を子機側専用呼出音鳴動手段に送信する。親機側専用呼出音鳴動手段は応答信号を受信して子機と同一の専用呼出音を鳴動する。
【０００９】
【発明の実施の形態】
以下、本発明の実施の形態を図面を参照して説明する。図１は本発明のコードレス電話機の原理図である。コードレス電話機は、子機１０と親機２０から構成される。
【００１０】
電話番号登録手段１１は電話番号を登録する。電話番号の登録は、ユーザの操作により任意の電話番号を登録することができる。電話番号比較判定手段１２は発信者電話番号と、登録してある電話番号と、を比較して一致するかどうかを判定する。比較判定する際には、最下位桁から比較していく。また、発信者電話番号の桁数が電話番号の桁数よりも多く、かつ電話番号の桁数分が比較判定で一致した場合は、発信者電話番号と電話番号とは一致したと判定する。
【００１１】
専用呼出音設定手段１３は、電話番号比較判定手段１２で比較して一致した場合は、通常呼出音とは呼出音の音色を変えた専用呼出音を設定する。応答信号送信手段１４は、専用呼出音を設定した場合に親機２０に対し、その専用呼出音の音色の種別を示す応答信号を送信する。子機側専用呼出音鳴動手段１５は、親機２０からの鳴動指示信号を受信して専用呼出音を鳴動する。
【００１２】
発信者電話番号送信手段２１は、発信者電話番号を電話番号比較判定手段１２に送信する。鳴動指示信号送信手段２２は、応答信号を受信して鳴動指示信号を子機側専用呼出音鳴動手段１５に送信する。親機側専用呼出音鳴動手段２３は応答信号を受信して子機１０と同一の専用呼出音を鳴動する。
【００１３】
次に動作について説明する。図２は本発明のコードレス電話機の動作手順を示す概略フローチャートである。
〔Ｓ１〕発信者電話番号送信手段２１は、電話回線から送られた発信者電話番号を子機１０の電話番号比較判定手段１２に無線伝送で送信する。
〔Ｓ２〕電話番号比較判定手段１２は発信者電話番号と、電話番号登録手段１１に登録してある電話番号と、を比較して一致するかどうかを判定する。一致する場合はステップＳ３へ、不一致の場合はステップＳ４へ行く。
〔Ｓ３〕専用呼出音設定手段１３は、呼出音の音色を変えた専用呼出音を設定する。
〔Ｓ４〕子機１０は、通常の呼出音を鳴動する。
〔Ｓ５〕応答信号送信手段１４は、専用呼出音を設定した場合に応答信号を無線伝送で親機２０の鳴動指示信号送信手段２２と親機側専用呼出音鳴動手段２３に送信する。
〔Ｓ６〕鳴動指示信号送信手段２２は、鳴動指示信号を子機側専用呼出音鳴動手段１５に無線伝送で送信する。
〔Ｓ７〕子機側専用呼出音鳴動手段１５は、専用呼出音を鳴動する。
〔Ｓ８〕親機側専用呼出音鳴動手段２３は、子機１０と同一の専用呼出音を鳴動する。
【００１４】
以上説明したように、本発明のコードレス電話機は、発信者電話番号と登録しておいた電話番号が同一の場合には、親機２０と子機１０から同一の専用呼出音を鳴動する構成とした。これにより、ユーザは親機２０、子機１０を同一の部屋で使用しても呼出音を違和感なく聞くことができる。
【００１５】
また、電話番号比較判定手段１２は、発信者電話番号と、登録してある電話番号と、を最下位桁から比較していく。さらに、発信者電話番号の桁数が電話番号の桁数よりも多く、かつ電話番号の桁数分が比較判定で一致した場合は、発信者電話番号と電話番号とは一致したと判定するものとした。このような比較判定を行うことにより、地域によって市外局番が変更された場合にも柔軟に対応することができる。
【００１６】
次に親機２０と子機１０間で同一の専用呼出音を鳴動させるまでの無線通信プロトコルについて説明する。図３は親機２０と子機１０間での無線通信プロトコルを示すシーケンス図である。
〔Ｓ１０〕発信者電話番号情報は、電話局より回線を介して親機２０に送信される。
〔Ｓ１１〕呼出信号は、電話局より回線を介して親機２０に送信される。親機２０では、通常の呼出音が鳴動する。
〔Ｓ１２〕親機２０は、子機１０との通信が可能な空き無線チャネルを検出し、その無線チャネルを閉結する。
〔Ｓ１３〕子機１０に通常呼出音を鳴動させるための鳴動指示信号であるＲｉｎｇＯＮコマンドを送信する。子機１０では、通常の呼出音が鳴動する。
〔Ｓ１４〕子機１０では通常呼出音を鳴動させると共に、通常呼出音に対応する応答信号であるＡＣＫを送信する。
〔Ｓ１５〕親機２０は、無線コマンドにより電話局より送られてきた発信者電話番号等の発信者情報を子機１０へ通知する。
〔Ｓ１６〕子機１０は、無線コマンドにより発信者情報を受信したことを発信者情報ＡＣＫで通知する。
〔Ｓ１７〕子機１０に専用呼出音を鳴動させるための鳴動指示信号であるＲｉｎｇＯＮコマンドを送信する。
〔Ｓ１８〕子機１０では専用呼出音が鳴動し、専用呼出音の場合の応答信号であるＡＣＫを送信する。そして、親機２０はこのＡＣＫを受信した後、子機１０と同一の専用呼出音を鳴動する。ここでのＡＣＫは専用呼出音の音色の種別情報も含んでいる。
【００１７】
次に親機２０の回路構成について説明する。図４は親機２０の概略回路構成を示す図である。電話回線３０はダイオードブリッジ３１を介して回線閉結用スイッチ３２に接続する。電話回線３０からの信号を受信する際は、ＣＰＵ３７の指示により回線閉結用スイッチ３２が回線閉結される。
【００１８】
スピーチネットワーク回路３３は、直流抵抗値、交流インピーダンスを整える。着信検出回路３４は、電話回線３０と接続し、着信検出を行う。デモジュレータ回路３５は、電話局より送られる発信者電話番号等の情報を含む信号を復調し、ＣＰＵ３７に送信する。ＣＰＵ３７は、情報を解析し発信者電話番号の情報等を抽出する。また、ＣＰＵ３７は、プログラム制御を行うためのメモリであるＲＯＭ３７ａとキーボード３８からの入力データ等を記憶するためのＲＡＭ３７ｂと接続して、親機２０の全体制御を行う。
【００１９】
スピーカホン回路３９は、スピーカ３９ａとマイク３９ｂに接続し、スピーカ３９ａより呼出音を鳴らす。ＲＦ回路３６は、子機１０との通信が可能な空きチャネルを検出し、検出したチャネルを介して無線コマンドにより、子機１０と無線通信を行う。
【００２０】
次に子機１０の回路構成について説明する。図５は子機１０の概略回路構成を示す図である。ＲＦ回路４０は、親機２０と無線コマンドにより、無線通信を行う。ＣＰＵ４１は、プログラム制御を行うためのメモリであるＲＯＭ４１ａと、キーボード４２からの入力データや、電話番号を記憶するためのＲＡＭ４１ｂと接続して、子機１０の全体制御を行う。
【００２１】
ＬＣＤモジュール４３は、発信者電話番号表示手段であり、発信者電話番号を表示する。発信者電話番号を表示する際は、登録してある電話番号と発信者電話番号とが一致した場合は、市外局番を除いた電話番号を表示する。不一致の場合は、市外局番付きの発信者電話番号を表示する。
【００２２】
送受信アンプ４４は、スピーカ４４ａとマイク４４ｂに接続し、スピーカ４４ａより呼出音を鳴らす。
以上説明したように、本発明であるコードレス電話機は、発信者電話番号と登録しておいた電話番号が同一の場合には、親機２０と子機１０から同一の専用呼出音を鳴動する構成とした。これにより、ユーザは親機２０、子機１０を同一の部屋で使用しても呼出音を違和感なく聞くことができる。
【００２３】
また、本発明のコードレス電話機は、子機１０に任意の電話番号を登録できる構成とした。これにより親機２０、子機１０それぞれ別々に登録する手間が省ける。
【００２４】
【発明の効果】
以上説明したように、本発明のコードレス電話機は、発信者電話番号と登録しておいた電話番号が同一の場合には、親機と子機から同一の専用呼出音を鳴動する構成とした。これにより、ユーザは親機、子機を同一の部屋で使用しても呼出音を違和感なく聞くことができる。
【図面の簡単な説明】
【図１】本発明のコードレス電話機の原理図である。
【図２】本発明のコードレス電話機の動作手順を示す概略フローチャートである。
【図３】親機と子機間での無線通信プロトコルを示すシーケンス図である。
【図４】親機の概略回路構成を示す図である。
【図５】子機の概略回路構成を示す図である。
【符号の説明】
１０……子機、１１……電話番号登録手段、１２……電話番号比較判定手段、１３……専用呼出音設定手段、１４……応答信号送信手段、１５……子機側専用呼出音鳴動手段、２０……親機、２１……発信者電話番号送信手段、２２……鳴動指示信号送信手段、２３……親機側専用呼出音鳴動手段。
【図１】
0003663823.tif 000002
【図２】
0003663823.tif 000003
【図３】
0003663823.tif 000004
【図４】
0003663823.tif 000005
【図５】
0003663823.tif 000006